(57)【要約】【課題】複合機におけるホストコンピュータの負担およびユーザの操作の機会を少なくする。【解決手段】ホストコンピュータ８からのファクシミリデータを、プリンタ制御装置４を介してシステム制御装置１に伝達する。システム制御装置１は、受けたファクシミリデータに含まれる相手先指定データをもとに、画像メモリに記憶しておいた相手先情報を検索し、相手先の機種がＧ３機種であるかＧ４機種であるかを判別する。そしてＧ３機種である場合は、ファクシミリデータをイメージデータに変換してＦＡＸ制御装置５を介して送信し、Ｇ４機種である場合は、コードデータのまま送信する。【選択図】図１
2006191662.tif 000002
【特許請求の範囲】
【請求項１】
ホストコンピュータから印字データを受信して印字出力する機能と、接続された外部の端末や装置にデータを送受信する機能を有する複合機において、
前記外部の端末や装置とのデータの送受信に関する相手先情報を前記ホストコンピュータに送信することを特徴とする複合機。
【発明の詳細な説明】
【技術分野】
【０００１】
本発明は、プリンタ，ファクシミリ，複写機能等の複数の機能を備えた複合機に関する。
【背景技術】
【０００２】
従来のファクシミリの主流は、電話回線を利用したＧ３ファクシミリであったが、近年、高速，安価，エラーフリーの通信を可能にするＩＳＤＮを接続回線とするＧ４ファクシミリへの期待が高まっている。
【０００３】
また、近年、プリンタ，ファクシミリ，複写機能を備えた複合機が登場し、ユーザの利便をさらに向上させた。しかし、今後においてもＧ４ファクシミリへの対応を初めとして、複合機の機能のさらなる充実が望まれている。
【特許文献１】特開平５−１３０３１１号公報
【発明の開示】
【発明が解決しようとする課題】
【０００４】
ファクシミリ機能を有する複合機において、従来は、ファクシミリの通信ごとに、相手先の情報をホストコンピュータに通知する機能はなかった。
【０００５】
また、従来の複合機では、ファクシミリ機能で送られてきたデータは、印刷後に消去されており、したがって、ファクシミリ受信文書のデータファイルでの管理はできなかった。
【０００６】
また、従来の複合機では、プリンタ機能とファクシミリ機能は独立していたため、複合機と接続されているホストコンピュータからのデータ転送はプリンタ印字データのみに限られていた。
【０００７】
また、従来の複合機では、プリンタ機能とファクシミリ機能は独立していたため、ファクシミリ機能の操作は複合機のオペレーションパネル上で行われていた。
【０００８】
また、複数のホストコンピュータが接続されている複合機では、プリンタ機能が他のジョブによって使用されている場合、プリントアウトを要求してもそのジョブが終了するまで待たされていた。
【０００９】
また、相手先ファクシミリ装置がＧ３機能のみの場合はイメージのみ伝送できるが、Ｇ４機能を保有する場合、テキスト伝送が可能である。従来は相手先がＧ３，Ｇ４機能のいずれかを判断することなくイメージのみ送信していた。そのため、Ｇ４機能を備えていてもテキスト伝送による通信時間の短縮ができず、通信コストを低減できなかった。
【００１０】
また、従来、印刷コードデータのイメージ処理コマンドは圧縮しないイメージデータを持つ。したがって、プリンタのイメージ処理コマンドとそのイメージデータをそのままファクシミリデータに変換して送信すると、送信するデータ量が多くなってしまう。
【００１１】
また、一般に複数枚の原稿をファクシミリ送信するとき、一連の原稿の送信解像度は一定にして送信される。しかし、複数枚の原稿をファクシミリ送信するときの１枚目は送付状として利用されることが多く、送付状には高い解像度を必要としない場合が多いため、送付状に対しては低い解像度でも十分である。
【００１２】
また、複合機が有する複数の機能と、複合機に接続されたホストコンピュータがうまく連携し、ユーザーにとって使いやすい複合機および印字システムの出現が望まれていた。
【００１３】
本発明は、このような課題を解決し、使いやすい複合機を提供することを目的とする。
【課題を解決するための手段】
【００１４】
上記目的を達成するために、本発明は、ホストコンピュータから印字データを受信して印字出力する機能と、接続された外部の端末や装置にデータを送受信する機能を有する複合機において、前記外部の端末や装置とのデータの送受信に関する相手先情報を前記ホストコンピュータに送信することを特徴とする。このような構成により、複合機と外部の端末との通信ごとに、外部の端末における相手先の情報をホストコンピュータに知らせることにより、ホストコンピュータで相手先の管理ができる。
【発明の効果】
【００１５】
本発明によれば、データの通信ごとに、相手先の情報をホストコンピュータに知らせることにより、そのホストコンピュータ上で相手先の管理ができる。
【００１６】
また、複合機で受信したデータの、ホストコンピュータ上での保存，管理が可能となる。
【００１７】
また、ホストコンピュータ上のファイルを複合機を介して、他の端末に転送することが可能となる。
【００１８】
また、ホストコンピュータから遠隔操作で、データの送信ルートを決定できるようになり、複合機の快適な操作が可能となる。
【００１９】
また、２つのホストコンピュータからプリントアウトの要求が同時にきても、両要求を同時に実行することが可能となり、待ち時間を短縮することができる。
【００２０】
また、ホストコンピュータから相手先端末の機能を意識することなしに複合機にデータを送信するだけで、複合機が送信相手先端末に対応して最適な送信形態を選択するために、通信コストを低減することができる。
【００２１】
また、印字用のデータからイメージ処理コマンドとそのイメージデータを分離し、残りのその他のコードデータを、出力しようとする用紙の大きさに合わせページごとに分割し、イメージデータのみを実際に展開し、コードデータはそのまま送信し、イメージデータはイメージとして圧縮しファクシミリ送信し、受信側でイメージとコードデータより生成されるイメージを合成することで、送信するデータ量を削減することを可能とする。
【００２２】
また、１枚目の原稿の送信解像度のみを送付状用として、例えばあらかじめ低い解像度に設定できるようにすることで、実際に重要な原稿に十分な解像度を与えながらも、送信データの量を削減することができる。
【００２３】
また、複合機が有する複数の機能と、複合機に接続されたホストコンピュータがうまく連携し、ユーザーにとって使いやすい複合機および印字システムを実現することができる。
【発明を実施するための最良の形態】
【００２４】
以下、本発明の実施の形態について図面を参照しながら詳細に説明する。
【００２５】
図１は本発明の一実施形態の複合機を用いたネットワークのシステム構成図であり、１は各種の装置を制御するシステム制御装置、２は画像情報を用紙に印刷出力するプリンタ、３は原稿などから画像情報を読み込むスキャナ、４はプリンタ制御装置、５はファクシミリ制御装置（以下、ＦＡＸ制御装置と称する）、６は蓄積データ管理装置、７は補助記憶装置、８はホストコンピュータ（以下、単にホストと称する）、９は公衆回線を示す。前記システム制御装置１，プリンタ２，スキャナ３，プリンタ制御装置４，ＦＡＸ制御装置５，蓄積データ管理装置６，補助記憶装置７によって複合機Ａの主要なシステムが構成されている。
【００２６】
ホスト８から複合機Ａに送られた印刷情報は、プリンタ制御装置４によって印字データに変換され、システム制御装置１による制御のもとにプリンタ２より出力される。また、スキャナ３によって読み込まれた画像情報は、システム制御装置１を介してＦＡＸ制御装置５に送られ、このＦＡＸ制御装置５で符号化され、公衆回線９を通して外部に送信される。逆に、外部から受信した画像情報は、ＦＡＸ制御装置５で復号化され、システム制御装置１の制御のもとにプリンタ２より出力される。さらに送信する印字データまたは受信した画像データは、蓄積データ管理装置６の制御のもとに補助記憶装置７に蓄積できる。
【００２７】
さらにまた、複合機Ａには後述するインターフェイス回路（Ｉ／Ｆ回路）が設けられており、このＩ／Ｆ回路を介してホスト８または公衆回線９と複合機Ａとのデータ信号の授受がなされる。
【００２８】
図２はシステム制御装置の回路構成を示す構成図であり、１０は中央処理装置（以下、ＣＰＵと称する）、１１はプリンタ制御回路を示し、このプリンタ制御回路１１は、プリンタ２に対してコマンド，文字コード，画像情報等を送り、プリンタ２を制御するものである。１２はスキャナ制御回路を示し、このスキャナ制御回路１２は、スキャナ３に対してコマンドを送り、スキャナ３から読み込んだ画像情報を取り込むものである。１３はコマンド解析回路を示す。このコマンド解析回路１３は、プリンタ制御装置４，ＦＡＸ制御装置５からＣＰＵ１０に送られてくる各種コマンドを解析してＣＰＵ１０に送るものである。１４は画像情報を保持する画像メモリであるＲＡＭ、１５は画像情報制御回路を示し、この画像情報制御回路１５は、スキャナ３，プリンタ制御装置４，ＦＡＸ制御装置５から送られてくる画像情報をＲＡＭ１４に格納したり、またＲＡＭ１４内のデータに加工を施すものである。
【００２９】
前記プリンタ制御回路１１，スキャナ制御回路１２，コマンド解析回路１３，画像情報制御回路１５、さらにプリンタ制御装置４，ＦＡＸ制御装置５による各装置の制御は、ＣＰＵ１０からの命令に基づいてなされる。
【００３０】
なお、システム制御装置１は、前記ＣＰＵ１０，プリンタ制御回路１１，スキャナ制御回路１２，コマンド解析回路１３，ＲＡＭ１４，画像情報制御回路１５により構成されている。
【００３１】
以上、説明したシステム制御装置１は複合機Ａの制御の中心であり、システム制御装置１によっていろいろな処理が行われる。そこで、主な処理を４つほど次に例示しておく。
【００３２】
（イ）プリンタ制御装置４，ＦＡＸ制御装置５から順次出されるプリンタ２への出力要求に対して調整を行う。すなわち、プリンタ制御装置４からの画像情報がプリンタ２より出力されているとき、ＦＡＸ制御装置５から出力要求があった場合、システム制御装置１は、ＦＡＸ制御装置５に対して待機コマンドを発信し、プリンタ制御装置４からの画像情報の出力が完了した時点で、ＦＡＸ制御装置５に対し出力許可コマンドを発信する。
【００３３】
（ロ）プリンタ制御装置４，ＦＡＸ制御装置５から同時にプリンタ２への出力要求があった場合、プリンタ制御装置４，ＦＡＸ制御装置５に対して、予め設定された優先順位に基づき、優先順位の高い方に対し、出力許可コマンドを発信するとともに、低い方に対しては、待機コマンドを発信する。
【００３４】
（ハ）プリンタ制御装置４とＦＡＸ制御装置５との間でコマンドのやりとりを行う場合、システム制御装置１内のＲＡＭ１４を介してやりとりを行う。
【００３５】
（ニ）プリンタ制御装置４とＦＡＸ制御装置５との間でコマンドのやりとりを行う場合、例えばホスト８からファクシミリ通信する相手先を指定するような場合、プリンタ制御装置４が受け取るホスト８からのコマンド情報を、システム制御装置１を介してＦＡＸ制御装置５に伝える。
【００３６】
図３はプリンタ制御装置４の回路構成を示す構成図であり、１６は中央処理装置（以下、ＣＰＵと称する）、１７はホスト８とＣＰＵ１６とを連結するホストコンピュータインターフェイス回路（以下、略してホストＩ／Ｆ回路と称する）、１８はシステム制御装置１とＣＰＵ１６とを連結するシステム制御装置インターフェイス回路（以下、略してシステムＩ／Ｆ回路と称する）を示す。また、１９はコマンド解析回路を示す。このコマンド解析回路１９は、ホストＩ／Ｆ回路１７，システムＩ／Ｆ回路１８，画像情報制御回路２１（後述する）からＣＰＵ１６に送られてくる各種コマンドを解析してＣＰＵ１６に送るものである。２０はホスト８から送られてくる画像情報を保持する画像メモリであるＲＡＭ、２１は画像情報制御回路を示し、この画像情報制御回路２１は、ホストＩ／Ｆ回路１７，システムＩ／Ｆ回路１８から送られてくる画像情報をＲＡＭ２０に格納したり、またＲＡＭ２０内のデータに加工を施すものである。
【００３７】
図４はＦＡＸ制御装置５の回路構成を示す構成図であり、２２は中央処理装置（以下、ＣＰＵと称する）、２３は公衆回線９とＣＰＵ２２とを連結する回線制御回路、２４はシステム制御装置１とＣＰＵ２２とを連結するシステム制御装置インターフェイス回路（以下、略してシステムＩ／Ｆ回路と称する）を示す。また、２５はコマンド解析回路を示す。このコマンド解析回路２５は、回線制御回路２３，システムＩ／Ｆ回路２４，画像情報制御回路２７（後述する）からＣＰＵ２２に送られてくる各種コマンドを解析してＣＰＵ２２に送るものである。２６は画像情報を保持する画像メモリであるＲＡＭ、２７は画像情報制御回路を示し、この画像情報制御回路２７は、回線制御回路２３，システムＩ／Ｆ回路２４から送られてくる画像情報をＲＡＭ２６に格納したり、またＲＡＭ２６内のデータに加工を施すものである。
【００３８】
図５は蓄積データ管理装置６の回路構成を示す構成図であり、２８は中央処理装置（以下、ＣＰＵ２８と称する）、２９はシステム制御装置１とＣＰＵ２８とを連結するシステム制御装置インターフェイス回路（以下、略してシステムＩ／Ｆ回路と称する）を示す。また、３０はコマンド解析回路を示す。このコマンド解析回路３０は、補助記憶装置７やＣＰＵ２８から送られてくる各種コマンドを解析するものである。３１は定型フォームデータ管理装置を示し、この定型フォームデータ管理装置３１は、補助記憶装置７に対する定型フォームデータの入力、および補助記憶装置７に記憶されている定型フォームデータの出力を管理するものである。また、３２は蓄積データ制御装置を示し、この蓄積データ制御装置３２は、補助記憶装置７との間にて送信データ，受信データの記憶または呼出しを行うものである。
【００３９】
次に、複合機Ａの印刷制御およびＦＡＸ送受信制御について、図１ないし図５を参照しながら説明する。なお、複数の制御方式があるので、項目ごとに番号を付した。
【００４０】
（１）ホスト８（図３参照）は、プリンタ制御装置４のホストＩ／Ｆ回路１７を介してＣＰＵ１６へ、ファクシミリ送信を目的とした印字データを送る。この印字データはコードデータからなり、さらに印字データにはファクシミリ送信先の指定データが含まれている。印字データを受けたＣＰＵ１６はシステムＩ／Ｆ回路１８を介し、システム制御装置１（図１参照）に対してファクシミリ送信を行うことを要求する。システム制御装置１は、ＦＡＸ制御装置５に対してファクシミリ送信要求があることを知らせ、印字データに含まれていた相手先指定情報を送る。相手先指定情報を受けたＦＡＸ制御装置５（図４参照）は、指定相手先がＧ４機能保有登録されているか否かをＲＡＭ２６より検索して、システム制御装置１に検索結果を報告する。
【００４１】
システム制御装置１は、受けた検索結果に基づきコードデータとして送信するか、あるいは画像データとして送信するかのいずれかを指定して、ＣＰＵ１６（図３参照）に対して送信開始を指令する。なお、指定相手先がＧ４機能保有登録されている場合はコードデータを指定し、登録されていない場合は画像データを指定する。ＣＰＵ１６は、指定が画像データである場合には、通常の印刷と同様に画像情報制御回路２１によりコードデータを画像データに変換し、この画像データをＲＡＭ２０に収容してシステム制御装置１に送る。一方、コードデータ指定の場合は、ＲＡＭ２０を介さずにコードデータをシステム制御装置１に送る。
【００４２】
システム制御装置１（図１参照）は、プリンタ制御装置４から受けたデータが画像データである場合には、ページ単位でＦＡＸ制御装置５に画像データを送り、コードデータである場合には、ＣＰＵ１６から受け取ったコードデータをそのままＦＡＸ制御装置５に送る。
【００４３】
ＦＡＸ制御装置５に送られたデータが画像データである場合には、ＲＡＭ２０（図３参照）が保持する画像データを画像情報制御回路２１で圧縮してＦＡＸ制御装置５のＲＡＭ２６（図４参照）に蓄える。そして、回線制御回路２３は送受信相手先ファクシミリ端末に対して発呼し、ＲＡＭ２６に蓄えた印字データを送る。コードデータである場合には、圧縮せずにコードデータをＲＡＭ２６（図４参照）に蓄え、回線制御回路２３が送受信相手先ファクシミリ端末に対して発呼して、ＲＡＭ２６に蓄えた印字データを送る。
【００４４】
このような制御により、相手先ファクシミリ端末の機能を意識することなく、ホスト８から印字データを送るだけで、ＦＡＸ制御装置５が最適な送信形態を選択するために、通信コストを低減することができる。
【００４５】
（２）ホスト８（図３参照）は、ホストＩ／Ｆ回路１７を介してＣＰＵ１６へ、ファクシミリ送信を目的とした印字データを送る。この印字データはコードデータからなり、さらに印字データにはファクシミリ送信先の指定データが含まれている。データを受けたＣＰＵ１６は、システムＩ／Ｆ回路１８を介し、システム制御装置１に対してファクシミリ送信を行うことを要求する。システム制御装置１（図１参照）は、ＦＡＸ制御装置５に対してファクシミリ送信要求があることを知らせ、相手先指定情報を送り、情報を受けたＦＡＸ制御装置５はシステム制御装置１に応答する。さらにシステム制御装置１（図３参照）はＣＰＵ１６に対してプリント開始を指令する。
【００４６】
ＣＰＵ１６は、指定のページ以前の印字データを読み飛ばし、指定のページのみ画像情報制御回路２１によって印字データを画像データに変換してＲＡＭ２０に収容し、システム制御装置１に送る。システム制御装置１（図１参照）はページ単位でＦＡＸ制御装置５に画像データを送る。
【００４７】
ＦＡＸ制御装置５には、プリンタ制御装置４においてＲＡＭ２０（図３参照）が保持する画像データを、画像情報制御回路２１を使用して圧縮した画像データが送られる。この画像データはＲＡＭ２６（図４参照）に蓄えられる。そして、回線制御回路２３が送受信相手先ファクシミリ端末に対して発呼し、ＲＡＭ２６に蓄えた印字データを送信する。
【００４８】
このような制御により、ホスト８から受信した印字データ中から任意のページを選択して、ファクシミリ送信可能であるため、無駄に用紙を消費せず、かつ通信コストを低減することが可能となる。
【００４９】
（３）ホスト８（図３参照）は、ホストＩ／Ｆ回路１７を介してＣＰＵ１６へ、ファクシミリ送信を目的とした印字データを送る。この印字データはコードデータからなり、さらに印字データにはファクシミリ送信先の指定データ，送信ページの指定データ，印刷ページの指定データが含まれている。データを受けたＣＰＵ１６は、システムＩ／Ｆ回路１８を介し、システム制御装置１に対してファクシミリ送信を行うことを要求する。システム制御装置１（図１参照）は、ＦＡＸ制御装置５に対してファクシミリ送信要求があることを知らせ、かつ相手先指定情報を送る。さらに情報を受けたＦＡＸ制御装置５はシステム制御装置１に応答する。
【００５０】
ＦＡＸ制御装置５からの応答によりシステム制御装置１（図３参照）はＣＰＵ１６に対してプリント開始を指令する。ＣＰＵ１６はファクシミリ送信指定または印刷指定以前の印字データを読み飛ばし、指定のページのみ画像情報制御回路２１によって印字データを画像データに変換してＲＡＭ２０に収容し、送信指定または印刷指定の有無とともにシステム制御装置１に送る。
【００５１】
送信指定の場合には、システム制御装置１（図１参照）はページ単位でＦＡＸ制御装置５に画像データを送る。その際、ＦＡＸ制御装置５には、プリンタ制御装置４においてＲＡＭ２０（図３参照）が保持する画像データを、画像情報制御回路２１を使用して圧縮してなる画像データが送られる。この画像データはＲＡＭ２６（図４参照）に蓄えられる。そして、回線制御回路２３が送受信相手先ファクシミリ端末に対して発呼し、ＲＡＭ２６に蓄えた印字データを送信する。
【００５２】
印刷指定の場合には、システム制御装置１（図１参照）がプリンタ２を使用して印刷出力させる。
【００５３】
このような制御により、任意のページを選択してファクシミリ送信をすると同時に、任意のページを選択して印刷可能となり、ランニングコストを低減するとともに利用者の待ち時間の短縮がなされ、快適な使用が可能となる。
【００５４】
（４）ホスト８（図３参照）は、ホストＩ／Ｆ回路１７を介してＣＰＵ１６へ、ファクシミリ送信を目的とした印字データを送る。この印字データはコードデータからなり、さらに印字データにはファクシミリ送信先の指定データと送信ページ同時印刷の指定データが含まれている。データを受けたＣＰＵ１６はシステムＩ／Ｆ回路１８を介し、システム制御装置１に対してファクシミリ送信を行うことを要求する。システム制御装置１（図１参照）は、ＦＡＸ制御装置５に対してファクシミリ送信要求があることを知らせ、相手先指定情報を送る。情報を受けたＦＡＸ制御装置５はシステム制御装置１に応答する。さらにシステム制御装置１はＣＰＵ１６（図３参照）に対してプリント開始を指令する。
【００５５】
ＣＰＵ１６はファクシミリ送信指定のページ以前の印字データを読み飛ばし、指定のページのみ画像情報制御回路２１によってコードデータを画像データに変換してＲＡＭ２０に収容し、印刷・送信指定とともにシステム制御装置１に送る。システム制御装置１（図１参照）はページ単位でＦＡＸ制御装置５に画像データを送るとともにプリンタ２を使用して印刷出力する。
【００５６】
ＦＡＸ制御装置５には、プリンタ制御装置４においてＲＡＭ２０（図３参照）が保持する画像データを、画像情報制御回路２１を使用して圧縮した画像データが送られる。この画像データはＲＡＭ２６（図４参照）に蓄えられる。そして、回線制御回路２３が送受信相手先ファクシミリ端末に対して発呼し、ＲＡＭ２６に蓄えた印字データを送信する。
【００５７】
このような制御により、任意のページを選択してファクシミリ送信をすると同時に、そのページを選択して印刷可能となり、ランニングコストを低減するとともに利用者の待ち時間の短縮がなされ、快適な使用が可能となる。
【００５８】
（５）ホスト８（図３参照）は双方向通信可能な通信回路によってホストＩ／Ｆ回路１７と結ばれている。このホスト８は、ホストＩ／Ｆ回路１７を介して、ＣＰＵ１６へファクシミリ送信を目的とした印字データを送る。この印字データはコードデータからなり、さらに印字データにはファクシミリ送信先の指定データと送信結果報告とが含まれている。データを受けたＣＰＵ１６はシステムＩ／Ｆ回路１８を介し、システム制御装置１に対してファクシミリ送信を行うことを要求する。システム制御装置１（図１参照）は、ＦＡＸ制御装置５に対してファクシミリ送信要求があることを知らせ、相手先指定情報と送信結果報告指定情報とを送る。情報を受けたＦＡＸ制御装置５はシステム制御装置１に応答する。さらにシステム制御装置１はＣＰＵ１６（図３参照）に対してプリント開始を指令する。
【００５９】
ＣＰＵ１６はファクシミリ送信指定以前の印字データを読み飛ばし、指定のページのみ画像情報制御回路２１によってコードデータを画像データに変換して画像データをＲＡＭ２０に収容し、送信指定とともにシステム制御装置１に送る。
【００６０】
画像データが送られたシステム制御装置１はページ単位でＦＡＸ制御装置５（図１参照）に画像データを送る。
【００６１】
ＦＡＸ制御装置５には、プリンタ制御装置４においてＲＡＭ２０（図３参照）が保持する画像データを、画像情報制御回路２１を使用して圧縮した画像データが送られる。この画像データはＲＡＭ２６（図４参照）に蓄えられる。そして、回線制御回路２３が送受信相手先ファクシミリ端末に対して発呼し、ＲＡＭ２６に蓄えた印字データを送信する。
【００６２】
送信が終了すると、回線制御回路２３はＣＰＵ２２に対して送信終了を報告し、ＦＡＸ制御装置５のＲＡＭ２６に蓄えた先の送信結果報告指定により、システム制御装置１は送信終了の旨をプリンタ制御装置４のＣＰＵ１６（図３参照）を介してホスト８に通知する。
【００６３】
このような制御により、送信状況が印刷機能を介してホスト８に通知されるため、結果を確認するために複合機Ａを操作する必要がなくなり、複合機Ａの使用効率が向上し、利用者は通知を待つだけで済み、快適な使用が可能となる。
【００６４】
（６）ホスト８は双方向通信可能な通信回路によってホストＩ／Ｆ回路１７と結ばれている。ホスト８は、ホストＩ／Ｆ回路１７を介してＣＰＵ１６へファクシミリ受信監視指定データを送る。ファクシミリ受信監視指定データは即時応答と受信完了時点応答の２種類があり、またファクシミリ受信監視指定データにはファクシミリ受信相手先指定データが含まれる。ファクシミリ受信監視指定データを受けたＣＰＵ１６はシステムＩ／Ｆ回路１８を介し、システム制御装置１に対してファクシミリ受信監視を行うことを要求する。システム制御装置１はＦＡＸ制御装置５に対してファクシミリ受信監視を行う旨通知する。
【００６５】
即時応答の場合には、ＦＡＸ制御装置５が、ＲＡＭ２６に蓄えた受信データと受信相手先指定データとが一致するかどうかを調べ、一致する場合には、システム制御装置１に受信結果を通知する。さらにシステム制御装置１は受信結果をＣＰＵ１６（図３参照）に通知するとともにプリンタ２より印字，出力させる。またＣＰＵ１６はホスト８に受信結果を通知する。なお、受信相手先指定データと受信した相手先とが一致しない場合には、ホスト８に受信結果を通知せずに、システム制御装置１が受信データをプリンタ２より印字，出力させる。
【００６６】
受信完了時点応答の場合には、ＦＡＸ制御装置５が前記ＦＡＸ受信監視指定データを受け入れ、このデータをＲＡＭ２６に蓄え、システム制御装置１（図４参照）に応答する。
【００６７】
そして、受信相手先ファクシミリ端末から複合機Ａに対して呼び出しがあると、まず、回線制御回路２３が受信データを受け取り、そのデータをＲＡＭ２６に蓄える。受信が終了すると、回線制御回路２３はＣＰＵ２２に対して終了を報告する。さらにＦＡＸ制御装置５は、ＲＡＭ２６に蓄えてあるＦＡＸ受信相手先指定データと今回の受信データの受信相手先とが一致するか否かを調べる。一致する場合はシステム制御装置１に受信結果を通知し、システム制御装置１（図３参照）は受信結果をＣＰＵ１６に通知し、ＣＰＵ１６はホスト８に受信結果を通知するとともにプリンタ２より印字，出力させる。
【００６８】
このような制御により、指定した相手先からの受信状況が印刷機能を介してホスト８に通知されるため、データを確認するために複合機Ａを操作する必要がなくなり、複合機Ａの使用効率が向上し、さらに利用者はホスト８から複合機Ａに問い合わせを行うか、あるいは通知を待つだけで済み、快適な使用が可能となる。
【００６９】
（７）ホスト８（図３参照）は、ホストＩ／Ｆ回路１７を介してＣＰＵ１６へ、ファクシミリ送信を目的とした印字データを送る。この印字データはコードデータからなり、さらに印字データにはファクシミリ送信先の指定データと送信同時印刷指定データが含まれている。印字データを受けたＣＰＵ１６はシステムＩ／Ｆ回路１８を介し、システム制御装置１に対してファクシミリ送信と同時にプリントを行うことを要求する。システム制御装置１が送信同時印刷要求であると判断すると、印字データが画像情報制御回路２１によってＲＡＭ２０上に展開される。イメージ展開が終了すると、システム制御装置１（図１参照）はＦＡＸ制御装置５の使用の可否を判断する。
【００７０】
使用可能ならば、ＲＡＭ２０（図３参照）が保持する画像データを画像情報制御回路２１を使用して圧縮し、ＦＡＸ制御装置５のＲＡＭ２６（図４参照）に蓄える。そして、回線制御回路２３は送受信相手先ファクシミリ端末に対して発呼し、ＲＡＭ２６に蓄えた画像データを送信する。
【００７１】
使用不可能ならば、展開された画像データを一旦補助記憶装置７（図１参照）に格納し、使用可能になった時点で画像データの送信を開始する。
【００７２】
さらに、画像データの送信を開始した後システム制御装置１は、プリンタ制御装置４の使用の可否を判断し、使用可能ならば、プリンタ制御装置４の制御によりプリンタ２を起動し、ＲＡＭ２０（図３参照）上の同じデータを印刷し排紙する。プリンタ制御装置４が使用できない場合は、展開されたデータを一旦補助記憶装置７（図１参照）に格納し、プリンタ制御装置４が使用可能になった時点で印刷を開始する。
【００７３】
このような制御により、送信と印刷の２つの要求を１つの指定において同時に処理することが可能となる。
【００７４】
（８）公衆回線９（図４参照）から送られてきた相手先からの受信データを、まずＦＡＸ制御装置５が受け取り、ＲＡＭ２６に蓄積するとともにシステムＩ／Ｆ回路２４を介して受信データを受けた旨システム制御装置１に通知する。システム制御装置１（図１参照）は、ＦＡＸ制御装置５より通知を受け取ると、ホスト８の指定が受信同時印刷要求であるか否かを判断する。
【００７５】
ホスト８の指定が受信同時印刷要求であるとシステム制御装置１が判断すると、次に、システム制御装置１はプリンタ制御装置４の使用の可否を判断し、使用可能ならば、受信データをＲＡＭ２０（図３参照）に展開する。イメージ展開が終了すると、システム制御装置１はプリンタ制御装置４の制御によりプリンタ２を起動し、ＲＡＭ２０上の画像データを印刷する。
【００７６】
プリンタ制御装置４が使用できない場合には、受信したデータを一旦補助記憶装置７（図１参照）に格納し、使用可能になった時点で処理を開始する。プリントが終了したら、そのデータに印刷終了のマークを付加し、補助記憶装置７に格納する。
【００７７】
このような制御により、受信データが用紙にプリントされた後もデータを消さずに補助記憶装置７に蓄積しておくため、受信されたファクシミリ・データの二次的再利用が可能となる。
【００７８】
（９）補助記憶装置７（図１参照）内には、（８）で述べた蓄積データとは別管理の定型フォームデータを格納する区画、すなわち定型フォーム記憶領域が設けられている。
【００７９】
ホスト８（図３参照）より送られてきたコードデータは、まずプリンタ制御装置４が受け、さらにシステム制御装置１に送られる。送られたコードデータに定型フォームデータの登録要求が含まれているとシステム制御装置１が判断すると、画像情報制御回路２１が、そのデータをＲＡＭ２０上にイメージ展開する。展開が終了すると、システム制御装置１は定型フォームデータ管理装置３１を起動させる。この定型フォームデータ管理装置３１は、補助記憶装置７の定型フォーム記憶領域に、ＲＡＭ２０上に展開されたイメージデータを格納させる。
【００８０】
また、スキャナ３（図１参照）で読み取られたデータの定型フォーム登録の場合も同様に、読み取ったデータをＲＡＭ２０（図３参照）上にイメージ展開する。展開が終了すると、システム制御装置１は定型フォームデータ管理装置３１を起動する。さらに定型フォームデータ管理装置３１はＲＡＭ２０上に展開されたイメージデータを定型フォーム記憶領域に格納する。その際、ホスト８より格納するイメージデータの名称を入力し、この名称データとともにイメージデータを格納しておく。
【００８１】
ホスト８等を通じて登録定型フォームデータの削除または名称変更等の要求がなされたときには、システム制御装置１に定型フォームデータ管理装置３１を起動させて登録内容の変更を行う。また、複合機Ａに対して恒常的に繋がれているかまたは同期的に結合されている同種の装置や回線、またはその他の媒体を通してさらに定型フォームデータ管理装置３１を介し、補助記憶装置７内の定型フォームデータを交換することができる。
【００８２】
次に、前述したシステム構成において、定型フォームを利用したファクシミリ機能の動作を以下に示す。
【００８３】
送信の場合、ホスト８からの送信データに定型フォームの指定があれば、システム制御装置１は、定型フォームデータ管理装置３１を起動し、指定された定型フォームデータをＲＡＭ２０にイメージ展開する。展開が終了した後、システム制御装置１はＦＡＸ制御装置５（図１参照）を起動して、送信先の装置と回線を接続し、情報を交換する。送信先に同種の定型フォームデータがない場合は、相手先への送信データ本体をＲＡＭ２０（図３参照）上のフォームデータの上に重ねて展開する（ＯＲ書き込み）。展開が終了したならば、ＲＡＭ２０に展開されているデータを相手先に送信する。
【００８４】
送信先に同じ定型フォームデータがあれば、ＲＡＭ２０をクリアし、相手先への送信データ本体をＲＡＭ２０に展開する。展開が終了したら、ＲＡＭ２０に展開されているデータに定型フォーム情報を付加し、相手に送る。相手先では、受信した定型フォーム情報を基に定型フォームデータ検索し、展開する。そして、展開したフォームデータの上に受信した送信データ本体を重ねて展開し、印刷，出力がなされる。
【００８５】
受信の場合、受信したデータに定型フォーム情報が付加されているとシステム制御装置１が判断したならば、定型フォームデータ管理装置３１を起動し、指定された定型フォームデータをＲＡＭ２０にイメージ展開する。さらに、受信データ本体をＲＡＭ２０上のフォームデータの上に重ねて展開する（ＯＲ書き込み）。展開が終了したならば、システム制御装置１はそのデータをＲＡＭ２０に記憶するとともに、プリンタ制御装置４の制御によってプリンタ２を起動し、プリントアウトする。
【００８６】
このような制御により、プリンタ機能とファクシミリ機能を組み合わせた形でのオーバーレイが実現し、送受信データの容量を減らして通信（回線）利用コストの削減が可能となる。
【００８７】
（１０）ホスト８（図３参照）より送られてきたコードデータは、まずプリンタ制御装置４が受け取り、システム制御装置１に通知する。システム制御装置１は、定型フォームデータの登録要求であると判断すると、そのデータをＲＡＭ２０上に展開する。展開が終了するとシステム制御装置１は、定型フォームデータ管理装置３１を起動し、ＲＡＭ２０上に展開された画像データを補助記憶装置７の定型フォーム記憶領域に格納する。
【００８８】
スキャナ３で読み取られたデータの定型フォーム登録の場合も同様に、読み取られたデータはＲＡＭ２０上にイメージ展開される。展開が終了すると、システム制御装置１は定型フォームデータ管理装置３１を起動し、ＲＡＭ２０上に展開された画像データを補助記憶装置７の定型フォーム記憶領域に格納する。
【００８９】
そして、指定の定型フォームデータをＲＡＭ２０に展開し、その上にファクシミリ機能のスキャナ３で読み込んだデータを重ねる。このＲＡＭ２０上のデータを画像情報制御回路２１で圧縮し、ＲＡＭ２６（図４参照）に蓄積して送信先に送信する。
【００９０】
スキャナ３で読み取られたデータの定型フォーム登録の場合も同様に、ＲＡＭ２０上にイメージ展開される。展開が終了すると、システム制御装置１は定型フォームデータ管理装置３１を起動する。定型フォームデータ管理装置３１はＲＡＭ２０上に展開されたイメージデータを定型フォーム記憶領域に格納する。
【００９１】
そして、前記スキャナ３で読み取り、格納されている定型フォームデータの中で、指定の定型フォームデータをＲＡＭ２０に展開し、その上にホスト８から送信されてきたデータを重ねる。このＲＡＭ２０上のデータを画像情報制御回路２１で圧縮し、ＲＡＭ２６（図４参照）に蓄積して送信先に送信する。
【００９２】
このような制御により、ファクシミリ機能においても定型フォームを利用することによって、オーバーレイ機能による定型的な書式でのデータの送受信を簡易化できる。
【００９３】
（１１）ホスト８（図３参照）は、現在補助記憶装置７（図１参照）に蓄積されている印字データのファイル管理を目的としたコードデータをＣＰＵ１６（図３参照）に送る。このＣＰＵ１６は、システムＩ／Ｆ回路１８を介してシステム制御装置１に対して、補助記憶装置７（図１参照）に蓄積されている印字データのファイル管理を行うことを要求する。要求を受けたシステム制御装置１（図３参照）は、蓄積データ管理装置６を起動させて、補助記憶装置７内のファイルや一覧表の呼出し等、ファイル管理を行う。
【００９４】
例えば、ホスト８（図３参照）から蓄積受信データの表示の要求があれば、システム制御装置１は、現在、補助記憶装置７に蓄積されている受信データの一覧をホスト８に通知する。ホスト８に通知した情報の中からデータを指定しての印刷要求があれば、システム制御装置１は、指定されたデータをＲＡＭ２０にイメージ展開し、プリンタ制御装置４を起動する。プリンタ制御装置４は、ＲＡＭ２０に展開されているデータをプリントし、排紙する。
【００９５】
このような制御により、蓄積された受信データをホスト８により選択指定でき、必要なデータのみをプリンタ機能を用いてプリントすることができる。
【００９６】
（１２）ホスト８（図３参照）は、現在補助記憶装置７（図１参照）に蓄積されている印字データのファイル管理を目的としたコードデータをＣＰＵ１６（図３参照）に送る。このＣＰＵ１６は、システムＩ／Ｆ回路１８を介してシステム制御装置１に対して、補助記憶装置７（図１参照）に蓄積されている印字データのファイル管理を行うことを要求し、システム制御装置１（図３参照）は、コードデータの要求に沿った処理を施してホスト８に通知する。ファイル管理には次に示すものが挙げられる。
【００９７】
ホスト８（図３参照）から蓄積印字データの一覧表示の要求があれば、システム制御装置１は、蓄積データ管理装置６を起動して現在補助記憶装置７（図５参照）に蓄積されている印字データの一覧をホスト８（図３参照）に通知し、表示する。
【００９８】
ホスト８からデータの送信取消し要求があれば、システム制御装置１は、蓄積データ管理装置６を起動して補助記憶装置７（図５参照）内に蓄積されている印字データの内から要求されたデータを送信待ち状態から開放する。なお、このときデータは消さない。
【００９９】
ホスト８（図３参照）からのデータの削除要求があれば、システム制御装置１は、蓄積データ管理装置６を起動して、補助記憶装置７（図５参照）に蓄積されている印字データの内から要求されたデータを削除する。
【０１００】
ホスト８（図３参照）からデータの変更要求があれば、システム制御装置１は、蓄積データ管理装置６を起動して、補助記憶装置７（図５参照）内に蓄積されている印字データの内から要求されたデータをホスト８（図３参照）に送り返し送信待ち状態から開放する。ホスト８から変更されたデータが送られてきたら、以前の登録データを削除し新規に登録する。
【０１０１】
ホスト８からのデータの追加（結合）要求があれば、システム制御装置１は、蓄積データ管理装置６を起動して、補助記憶装置７（図５参照）に蓄積されている印字データの内から要求されたデータを１つのデータとして再登録する。
【０１０２】
このような制御により、登録済みの未送信データのホスト８（図３参照）による送信の取消し、および未送信データの削除を実現するとともに、送信情報（宛先，時刻等）・送信データの内容の変更・追加、および複数のデータを結合し、１つのデータにまとめることをも可能とし、さらにファクシミリ本体まで行かなくともファクシミリ送信の操作を行うことを可能とする。
【０１０３】
（１３）印字データのイメージ送信時において、コマンド解析回路１９（図３参照）が、ホスト８からホストコンピュータＩ／Ｆ回路１７を介して印字データ（プリンタ制御装置４の制御コード等を含む）を受信すると、ＣＰＵ１６は、印字データをＲＡＭ２０にイメージとして展開することを画像情報制御回路２１に要求する。
【０１０４】
データが展開されると、画像情報制御回路２１はシステム制御装置１を介してＦＡＸ制御装置５のコマンド解析回路２５にＲＡＭ２０で展開されたイメージの送信を要求する。要求を受けたＦＡＸ制御装置５（図４参照）のコマンド解析回路２５はＲＡＭ２０（図３参照）のサイズと向きからページの上下を決め、マーカーを決まった位置に付加し、ファクシミリデータとして送信または蓄積させる。
【０１０５】
また、ファクシミリデータ受信時において、ＦＡＸ制御装置５（図４参照）のコマンド解析回路２５はファクシミリデータをＲＡＭ２６にイメージとして展開させる。そして、画像情報制御回路２７は、ページバッファであるＲＡＭ２６に展開されたイメージを検索してマーカーの有無を検出し、マーカーを検出したらその位置から受信原稿の上下を判定する。
【０１０６】
このような制御により、送信原稿の上下を通知することができ、また、ファクシミリ受信時に原稿の上下を示すマーカーを検出することで、受信原稿の上下を判定することが可能となる。
【０１０７】
（１４）相手先からの印字データをそのままファクシミリデータとして受信すると、ＦＡＸ制御装置５（図４参照）のコマンド解析回路２５は、そのファクシミリデータの付加情報データによりコードデータであることを認識する。受信データがコードデータであることがわかると、ＦＡＸ制御装置５のコマンド解析回路２５を介してコードデータをプリンタ制御装置４（図３参照）のコマンド解析回路１９に送る。印字データを受けたコマンド解析回路１９は、印字データをイメージとして展開するように画像情報制御回路２１に要求する。このとき、印字データ中に原稿の回転コマンドがあれば、その指定に従って展開方向を回転させる処理を行う。
【０１０８】
このような制御により、印字データ中のコマンドの指定により受信データを回転させることで、送信側の出力方向を指定することができる。
【０１０９】
（１５）ホスト８（図３参照）からのコードデータである印字データをプリンタ制御装置４で受信し、それをイメージにしてファクシミリ送信をするとき、印字データを受信するコマンド解析回路１９は、ファクシミリ用にミリ系のＲＡＭ２０に最も近いコマンド解析回路１９がプリントに使うインチ系の解像度であると仮定して、それにインチ・ミリ変換の変倍を加えて処理し、印字データをイメージに展開する。
【０１１０】
コマンド解析回路１９の処理では、変倍後の大きさに最も適する大きさのフォントイメージを選択し、文字・行ピッチなどのみを変倍してＲＡＭ２０に展開する。つまり、イメージコマンド等、直にイメージとして処理するもののみを変倍して展開する。ミリ系の解像度で作られたＲＡＭ２０に印字データのイメージが展開されると、そのイメージデータは、システム制御装置１を介してＦＡＸ制御装置５（図４参照）のコマンド解析回路２５に通知され、ＲＡＭ２０（図３参照）に展開されたイメージをファクシミリ信号にして蓄積、もしくは送信される。
【０１１１】
このような制御により、印刷出力イメージをファクシミリデータとして送信する場合、ミリ系のサイズでＲＡＭ２０にイメージ展開し、そこに該当する最も近いプリンタ２が持つインチ系の解像度でインチ・ミリ変換のための変倍を加えて印字データをイメージに展開することで、フォントイメージは変倍しないため、ミリ系のイメージの画質の劣化を少なくすることができる。
【０１１２】
（１６）相手先からの印字データをそのままファクシミリデータとして受信すると、ＦＡＸ制御装置５（図４参照）のコマンド解析回路２５は、そのファクシミリデータの付加情報データによりコードデータであるか否かを認識する。受信データがコードデータであることがわかると、ＣＰＵ２２はシステム制御装置１を介して印字データをプリンタ制御装置４（図３参照）のコマンド解析回路１９に送る。このとき、コマンド解析回路２５（図４参照）はファクシミリの原稿幅と長さも同時にコマンド解析回路１９（図３参照）に通知する。
【０１１３】
印字データを受けたコマンド解析回路１９は、印字データをイメージとして展開するように、画像情報制御回路２１に要求する。このとき、印字データを展開しようとする用紙サイズを、ＦＡＸ制御装置５（図４参照）のコマンド解析回路２５から送られた原稿の幅と長さに従って設定する。また、印字データ中に用紙サイズを指定するコマンドがあれば、その指定に従って展開するようサイズを設定する。設定したサイズと同じ大きさの用紙、もしくはそれより大きな用紙がないとき、コマンド解析回路１９（図３参照）は印刷できる最も大きな用紙を探し、その大きさのＲＡＭ２０に元の原稿の大きさから、展開する用紙の大きさに収まるような縮小率（例えば、原稿サイズがＡ４で、出力可能な用紙サイズがＢ５なら縮小率は０．８７倍）を求め、その縮小率で縮小の処理を行い画像情報制御回路２１に展開を要求する。
【０１１４】
このような制御により、印字データをそのままファクシミリデータに変換して送受信するとき、受信側で出力できる用紙サイズに合わせて印字データを縮小しながらプリンタ２（図１参照）でイメージに展開し出力することで、画質の劣化を軽微にとどめながら最適な出力結果を得ることができる。
【０１１５】
（１７）ホスト８（図３参照）からのコードデータである印字データをプリンタ制御装置４が受信して、その印字データをそのままファクシミリデータとして出力するとき、プリンタ制御装置４のコマンド解析回路１９は、印字データ中のコマンドを解析し、出力しようとする用紙に合わせて印字データをページ単位に分割する。
【０１１６】
さらに、その中からイメージコマンドとそのイメージコマンドによって制御されるイメージデータのみを分離する。そして、画像情報制御回路２１の制御のもと、イメージコマンドの命令に従ってイメージデータをＲＡＭ２０に展開させる。なお、イメージコマンドおよびイメージデータが印字データより分離されることで、複合機Ａの各部を制御するテキスト・制御コマンドデータが残される。
【０１１７】
コマンド解析回路１９は、イメージコマンドとイメージデータを除いたコードデータであるテキスト・制御コマンドデータに、イメージコマンドとイメージデータを分離したことを示すイメージ分離情報を付加し、ページごとにコマンド解析回路２５（図４参照）へシステム制御装置１を介して送る。イメージ分離情報が送られたＦＡＸ制御装置５のコマンド解析回路２５は、画像情報制御回路２１（図３参照）からのイメージデータの展開完了の通知を待つ。イメージデータの展開が完了したら、コマンド解析回路１９からのイメージ分離情報およびテキスト・制御コマンドデータをそのままファクシミリデータに変換し、また、分離したイメージデータを通常のイメージデータのように圧縮してファクシミリデータにして、それぞれを蓄積送信する。
【０１１８】
また、相手先よりテキスト・制御コマンドデータとイメージデータとに分離して送信されたファクシミリデータを受信したとき、ＦＡＸ制御装置５（図４参照）のコマンド解析回路２５は、相手先の印字データをそのままファクシミリデータとして受信する。そしてファクシミリデータの付加情報データにより、コードデータであること、および相手先が、テキスト・制御コマンドデータとイメージデータとを分離して送信したことを認識する。
【０１１９】
受信データがテキスト・制御コマンドデータとイメージデータとを分離したコードデータであることがわかると、ＦＡＸ制御装置５のコマンド解析回路２５は、イメージコマンドと対になるイメージデータをＲＡＭ２６に展開させ、システム制御装置１を介してテキスト・制御コマンドデータと、イメージデータを展開したＲＡＭ２６の情報とをプリンタ制御装置４（図３参照）のコマンド解析回路１９に送る。テキスト・制御コマンドデータと、イメージデータとを展開したＲＡＭ２６（図４参照）の情報が送られたコマンド解析回路１９（図３参照）は、ＲＡＭ２６の情報をイメージデータとして展開するように画像情報制御回路２１（図３参照）に要求し、イメージとコードから生成したイメージデータをＲＡＭ２０で合成する。
【０１２０】
このような制御により、印字データからイメージ処理コマンドとそのイメージデータを分離し、残りのその他データを出力しようとする用紙の大きさに合わせページごとに分割し、イメージデータのみを実際に展開し、コードデータはそのまま、イメージデータはイメージとして圧縮しファクシミリ送信し、受信側でイメージとコードデータより生成されるイメージを合成することで、送信するファクシミリデータ量を削減することができる。
【０１２１】
（１８）送信原稿１枚ごとに送信解像度を設定でき、原稿の１枚目のみあらかじめ別に送信解像度を設定する手段を持つ。送信原稿を読み取って、引き渡されたＦＡＸ制御装置５（図４参照）のコマンド解析回路２５は、既に設定されている１枚目の送信解像度に従って１枚目の原稿をファクシミリデータにし、２枚目以降の原稿は、ＦＡＸ制御装置５のコマンド解析回路２５から渡された現在の送信解像度の指定に従って原稿をファクシミリデータにして、送信または補助記憶装置７に蓄積する。
【０１２２】
このように、送信原稿１枚ごとに送信解像度を設定でき、原稿の１枚目のみあらかじめ別に送信解像度を設定する手段を備えたことで、１枚目の原稿の解像度のみをあらかじめ低い解像度に設定できるようになり、ファクシミリ送信データの量を削減できる。
【０１２３】
（１９）プリンタ２（図３参照）に、ホスト８からプリンタ制御装置４，システム制御装置１を介して印字データとその印字データをファクシミリ送信するコマンド，相手先の指定情報（電話番号またはファクシミリに登録されている電話帳の記号等）が送られてくると、プリンタ制御装置４が印字データの送信相手先を指定してファクシミリ送信するコマンドであることを判断し、システム制御装置１を介してＦＡＸ制御装置５（図４参照）に相手先の指定を行う。また、プリンタ制御装置４（図３参照）は、システム制御装置１を介して、ＦＡＸ制御装置５（図４参照）に登録された相手先情報やＦＡＸ制御装置５の状態を得ることにより、印字データをどのように処理するかセレクトし、システム制御装置１（図３参照）を介して転送できる形式に変換してＦＡＸ制御装置５（図４参照）に転送する。
【０１２４】
ＦＡＸ制御装置５は、プリンタ制御装置４（図３参照）からシステム制御装置１を介して、プリンタ制御装置４から送られてくる相手先や転送方法等の情報を処理し、相手先の指定や各種の設定を行い、さらにプリンタ制御装置４から送られてくる転送データを処理し、指定した相手先に送信する。
【０１２５】
このような制御により、ホスト８からのコマンドによってプリンタ２の印字データをファクシミリ送信する相手先を指定できるので、ユーザが複合機Ａの設置場所まで行かなくても済むようになる。
【０１２６】
（２０）プリンタ２（図１参照）にホスト８（図３参照）からファクシミリの電話帳登録用のコマンドや、ファクシミリの各種設定用のコマンドが送られてくると、プリンタ制御装置４は、送られてきたコマンドを解釈し、ＦＡＸ制御装置５（図４参照）に対して電話帳登録や各種の設定をするコマンドであることを認識する。このコマンドは、ＦＡＸ制御装置５に対しどのような設定をするか、または登録をするかというコマンドの要求項目をプリンタ制御装置４（図３参照）が整理して、これらの要求項目を実施してくれるようにシステム制御装置１に対して要望するものである。
【０１２７】
システム制御装置１は、プリンタ制御装置４から入力された要望を解釈し、要望の整理を行い、ＦＡＸ制御装置５（図４参照）に対してプリンタ制御装置４（図３参照）からの要望を伝える。ＦＡＸ制御装置５（図４参照）は、システム制御装置１（図３参照）からきた要望が実施可能かどうか判断し、可能な場合には実施し、システム制御装置１に対して実施して状態がどうなったか等を伝える。
【０１２８】
要望を実施できない場合や、実施中に失敗した場合などは、これらの情報をＦＡＸ制御装置５（図４参照）がシステム制御装置１（図３参照）に通知する。システム制御装置１はＦＡＸ制御装置５（図４参照）からプリンタ制御装置４（図３参照）の要望が成功したかどうかをプリンタ制御装置４に対して通知する。
【０１２９】
このような制御により、プリンタ制御装置４はＦＡＸ制御装置５（図４参照）に対して要求した項目が実施されたか否かがわかり、実施されない場合、以後の処理に不具合のあるものは代わりの処理をするなどコマンド処理後の動作を円滑に行えるようになる。
【０１３０】
（２１）プリンタ制御装置４（図３参照）が、ＦＡＸ制御装置５（図４参照）の情報
（相手先情報等）を得るために、まずプリンタ制御装置４はＦＡＸ制御装置５のどの情報が欲しいか、また、どのような形で欲しいかを整理する。プリンタ制御装置４（図３参照）は、要望するＦＡＸ制御装置５（図４参照）の情報の入手形式が決まると、この情報の入手形式で情報を得るためにシステム制御装置１に対して情報を送るように要求する。
【０１３１】
なお、システム制御装置１に対して要求をする方法は、目的に応じて複数用意しておく。そして、プリンタ制御装置４（図３参照）が先に決めたＦＡＸ制御装置５（図４参照）の情報の入手形式で情報を得るのに、最も都合のよいシステム制御装置１への要求方法を選ぶ。システム制御装置１への要求方法が決まると、プリンタ制御装置４は、この要求方法でシステム制御装置１に対して要求に応えるように通知を出す。
【０１３２】
ＦＡＸ制御装置５に対する通知の方法も複数用意されており、システム制御装置１は、プリンタ制御装置４（図３参照）からきた要求や現在の複合機Ａの状態などを考慮して適した通知方法をセレクトする。ＦＡＸ制御装置５（図４参照）は、システム制御装置１から通知を受けると何が求められているかを解釈し、求められている情報（電話帳の相手先情報）やファクシミリの状態（メモリ使用状況・ファイル情報）を求められている形式・方法でシステム制御装置１に対して応答を返す。
【０１３３】
システム制御装置１は、ＦＡＸ制御装置５から回答をもらうと、プリンタ制御装置４の欲していた形式・方法や現在の複合機Ａの状態等を考慮して最も適した形式・方法をセレクトして、プリンタ制御装置４（図３参照）に欲していたＦＡＸ制御装置５（図４参照）の情報を知らせる。
【０１３４】
上述のものは、ファクシミリの情報をプリンタ制御装置４（図３参照）が入手する手段についてのものだが、前記（１５）記載の制御の場合には情報が相手先情報、前記（１６）記載の制御の場合には情報がファクシミリの状態とすればよい。
【０１３５】
このような制御により、ＦＡＸ制御装置５（図４参照）の情報をプリンタ制御装置４（図３参照）が入手することができるようになる。またＦＡＸ制御装置５（図４参照）の情報をプリンタ制御装置４（図３参照）が入手できることにより、相手先の情報によりプリンタ制御装置４は印字データを、相手の機種に合わせた形式に変換する処理を実施することができる。さらに、ファクシミリのメモリ状態等に応じて、プリンタ制御装置４は印字データ等に応じて、プリンタ制御装置４がファクシミリ送信する印字データ等に対して適した処置をすることができる。
【０１３６】
（２２）ホスト８とプリンタ制御装置４とは双方向インターフェイス（例えばＲＳ２３２Ｃ）で連結されており、前記（２１）の制御でプリンタ制御装置４が得たＦＡＸ制御装置５の情報を、この双方向インターフェイスを介して直接ホスト８に転送することができる。
【０１３７】
この場合、プリンタ制御装置４はシステム制御装置１に対して、ホスト８に直接、転送する形式方法でプリンタ制御装置４にＦＡＸ制御装置５の情報を知らせるように要求しておく。
【０１３８】
また、プリンタ制御装置４がシステム制御装置１を介して得たＦＡＸ制御装置５の情報を、プリンタ制御装置４が整理して管理し記憶しておき、ホスト８からの要求に応じてホスト８に転送することもできる。
【０１３９】
また、ＦＡＸ制御装置５の情報の１つである通信管理レポートを双方向インターフェイスによりホスト８に知らせることができる。なお、ホスト８との転送方法は、プリンタコマンド等で決めておけばよい。
【０１４０】
（２３）前記（２１）の制御によれば、ＦＡＸ制御装置５（図４参照）の情報をプリンタ制御装置４（図３参照）の通信（送受信）ごとに得られる相手先情報をホスト８に知らせることができる。
【０１４１】
次に示す制御は、（２１）の制御に対し、さらにプリンタ制御装置４またはＦＡＸ制御装置５（図４参照）の送受信ごとに相手先情報をホスト８に知らせるモード（プリンタ制御装置４（図３参照）の場合、ホスト８からのコマンドやパネルの設定等、ＦＡＸ制御装置５（図４参照）の場合、パネルの設定や自社のコマンド等）を設定したものである。このモードが指定されたプリンタ制御装置４やＦＡＸ制御装置５は、システム制御装置１に対してＦＡＸ制御装置５の送受信ごとに、相手先情報をホスト８に通知するモードであることを知らせる。
【０１４２】
システム制御装置１は、通知がプリンタ制御装置４（図３参照）からきた場合、ＦＡＸ制御装置５（図４参照）に、相手先情報をホスト８に知らせるモードであることを知らせる。またシステム制御装置１は、通知がＦＡＸ制御装置５からきた場合にも、プリンタ制御装置４（図３参照）に、相手先情報をホスト８に知らせるモードであることを知らせる。これにより、プリンタ制御装置４，ＦＡＸ制御装置５の両方共、相手先情報をホスト８に知らせるモードであることがわかり、それぞれの制御装置４，５で相手先情報をホスト８に知らせるモードのための準備をする。例えば、プリンタ制御装置４の場合、双方向のホストＩ／Ｆ回路１７のオープン，ファクシミリ情報の記憶・管理の準備等、ＦＡＸ制御装置５の場合、送受信ごとに相手先情報をシステム制御装置１を介してプリンタ制御装置４に知らせる設定にする。
【０１４３】
以後、ＦＡＸ制御装置５（図４参照）の送受信のときにわかった相手先の情報を、ＦＡＸ制御装置５はシステム制御装置１を介してプリンタ制御装置４（図３参照）に知らせ、プリンタ制御装置４はこの情報をホスト８に双方向のホストＩ／Ｆ回路１７によりホスト８とに知らせる。
【０１４４】
前記説明では、プリンタ制御装置４，ＦＡＸ制御装置５の両方が、このモードであることを認識することにより実現している。しかしそれ以外でも、システム制御装置１がこのモードを認識して、プリンタ制御装置４，ＦＡＸ制御装置５に適切な要求を出すことにより実現することもできる。この場合、システム制御装置１は各制御装置４，５の状態等を管理しているので、ＦＡＸ制御装置５の送受信があったことをシステム制御装置１が検知することは可能である。
【０１４５】
システム制御装置１とＦＡＸ制御装置５との送受信があった場合、この送受信での相手先情報をプリンタ制御装置４に知らせる一連の処理をして、プリンタ制御装置４に対してこの相手先情報を双方向のホストＩ／Ｆ回路１７によりホスト８に知らせるよう指示をする。このようにして実現することも可能である。
【０１４６】
（２４）ホスト８（図３参照）とプリンタ制御装置４との間には、インターフェイスが２本存在する。１本は印字データ転送用のインターフェイスであり、もう１本は、コマンド転送およびそれに対する結果通知を通信するための双方向インターフェイスである。後者のインターフェイスを介しプリンタ制御装置４に取り入れられたコマンドは、コマンド解析回路１９において、プリンタ制御装置４に対するものであるかどうか判別される。もしそうであれば、そのままプリンタ制御装置４で処理される。
【０１４７】
また、前記コマンドが融合機能に関するものであった場合、そのコマンドはシステム制御装置１に送られ、コマンド解析回路１３（図２参照）で解析され処理される。そしてその処理結果を、再びプリンタ制御装置４（図３参照）のホストＩ／Ｆ回路１７を介してホスト８へ通知する。
【０１４８】
このような制御により、プリンタ機能とファクシミリ機能の融合機能のホスト８からの操作が容易にできるようになる。
【０１４９】
（２５）ファクシミリ文書を公衆回線９（図４参照）から着信すると、その文書がイメージデータであるかテキストデータであるかをＣＰＵ２２が判別し、その情報を付加してＲＡＭ２６に蓄積する。ホスト８からホストＩ／Ｆ回路１７を介してファクシミリ受信ファイルの要求コマンドがＣＰＵ１６（図３参照）に入力されると、この要求コマンドは、システム制御装置１のコマンド解析回路１３（図２参照）によって解析される。そして、要求されたファイルは、ＦＡＸ制御装置５（図４参照）のＲＡＭ２６からプリンタ制御装置４（図３参照）のホストＩ／Ｆ回路１７に転送され、そこからホスト８に送られる。
【０１５０】
このような制御により、ファクシミリ受信した印字データのホスト８上での保存，管理が可能となる。
【０１５１】
（２６）ホスト８（図３参照）からプリンタ制御装置４のホストＩ／Ｆ回路１７を介して、ファクシミリ機能によるファイル転送の要求コマンドをＣＰＵ１６が受けると、そのコマンドはシステム制御装置１に送られコマンド解析回路１３でコマンド解析が行われる。そして、システム制御装置１の制御により、プリンタ制御装置４のホストＩ／Ｆ回路１７を経て入力される転送先情報および印字データをＦＡＸ制御装置５（図４参照）のＣＰＵ２２に送り、ファイルデータを回線制御回路２３を通じて相手先に送信する。
【０１５２】
このような制御により、ホスト８上のファイルをプリンタ用のインターフェイスのみを利用して、ファクシミリ転送することが可能となる。
【０１５３】
（２７）ホスト８（図３参照）から、プリンタ制御装置４のホストＩ／Ｆ回路１７を介して印字データの中継依頼送信の要求コマンドを受けると、そのコマンドは、システム制御装置１に送られ、コマンド解析回路１３によって解析される。そして、システム制御装置１の制御のもとに、プリンタ制御装置４のホストＩ／Ｆ回路１７を経て入力される中継先情報，送信先情報，印字データをＦＡＸ制御装置５（図４参照）に送り、中継依頼送信を実行し、相手先に送信する。
【０１５４】
このような制御により、ホスト８から遠隔操作で印字データのファクシミリ送信ルートを決定できるようになり、複合機Ａの快適な操作が可能となる。
【０１５５】
（２８）図３のホスト８（図３参照）とプリンタ制御装置４とのインターフェイスは複数存在し、その内の１つからプリンタ機能の使用リクエストがくると、現在プリンタ機能が使用中であるか否かがチェックされ、使用中でなければ印字データはプリンタ制御装置４のＣＰＵ１６で処理され、プリンタ２（図１参照）で印刷される。
【０１５６】
プリンタ２が使用中であった場合には、その印字データがシステム制御装置１に送られ、登録されている転送情報と一緒にＦＡＸ制御装置５（図４参照）に送信される。そして近隣の複合機Ａに回線を通って転送され、そこで印刷される。
【０１５７】
このような制御により、２つのホストからプリントアウトの要求が同時にきても、両要求を同時に実行することが可能となり、待ち時間を短縮することができる。
【図面の簡単な説明】
【０１５８】
【図１】本発明の実施形態のシステム構成図である。
【図２】システム制御装置の回路構成を示す構成図である。
【図３】プリンタ制御装置の回路構成を示す構成図である。
【図４】ファクシミリ制御装置の回路構成を示す構成図である。
【図５】蓄積データ管理装置の回路構成を示す構成図である。
【符号の説明】
【０１５９】
１  システム制御装置
２  プリンタ
３  スキャナ
４  プリンタ制御装置
５  ファクシミリ制御装置（ＦＡＸ制御装置）
６  蓄積データ管理装置
７  補助記憶装置
８  ホストコンピュータ（ホスト）
９  公衆回線
１０，１６，２２，２８  中央処理装置（ＣＰＵ）
１１  プリンタ制御回路
１２  スキャナ制御回路
１３，１９，２５，３０  コマンド解析回路
１４，２０，２６  ＲＡＭ
１５，２１，２７  画像情報制御回路
１７  ホストコンピュータインターフェイス回路（ホストＩ／Ｆ回路）
１８，２４，２９  システム制御装置インターフェイス回路（システムＩ／Ｆ回路）
２３  回線制御回路
３１  定型フォームデータ管理装置
３２  蓄積データ制御装置
Ａ  複合機
【図１】
2006191662.tif 000003
【図２】
2006191662.tif 000004
【図３】
2006191662.tif 000005
【図４】
2006191662.tif 000006
【図５】
2006191662.tif 000007